(57)【特許請求の範囲】
【請求項１】
ＩＰネットワークからなるローカルエリアネットワークに接続される複数個の電話端末と、
前記複数個の電話端末と前記ローカルエリアネットワークを介して接続され、登録された前記複数個の電話端末による複数の電話回線を利用した電話通信を管理する機能を有する電話通信管理装置と
を備えるＶｏＩＰ電話システムにおいて、
前記電話通信管理装置は、
前記電話端末からの登録要求を受けたときに、当該電話端末が、複数の電話回線に対応する機能を備えているか否かを、前記電話端末からの情報に基づいて判別する端末判別手段と、
前記端末判別手段で、前記登録要求してきた前記電話端末が、前記複数の電話回線に対応する機能を備えていると判別したときに、前記電話端末に、前記電話通信管理装置との間で拡張メッセージ用コネクションを確立するためのアドレス情報を送信するアドレス情報送信手段と、
前記確立された拡張メッセージ用コネクションを通じて前記複数の電話回線のそれぞれの使用状態に関する回線状態情報を前記電話端末に送信する手段と
を備え、
前記複数の電話回線に対応する機能を備えている前記電話端末は、
前記電話通信管理装置に登録要求をしたときに、前記電話通信管理装置からの前記拡張メッセージ用コネクションを確立するためのアドレス情報を受信し、当該受信したアドレス情報を用いて、前記拡張メッセージ用コネクションを前記電話通信管理装置との間に確立する手段と、
前記確立された拡張メッセージ用コネクションを通じて前記電話通信管理装置から送られてくる前記回線状態情報に基づいて、前記複数の電話回線の使用状態を使用者に報知する手段と
を備えることを特徴とするＶｏＩＰ電話システム。
【請求項２】
前記電話通信管理装置の前記端末判別手段は、前記電話端末からの登録要求メッセージに含まれる製造者コードおよび製品コードをチェックして、前記登録要求してきた前記電話端末が、前記複数の電話回線に対応する機能を備えているかどうかを判別することを特徴とする請求項１に記載のＶｏＩＰ電話システム。
【請求項３】
前記電話通信管理装置の前記アドレス情報送信手段は、前記電話端末からの登録要求に対して前記電話端末に返信する登録確認メッセージ中に、前記拡張メッセージ用コネクションを確立するためのアドレス情報を製造者特有情報として含めて前記電話端末に送信することを特徴とする請求項１に記載のＶｏＩＰ電話システム。
【請求項４】
ＩＰネットワークからなるローカルエリアネットワークに接続される複数個の電話端末と前記ローカルエリアネットワークを介して接続され、登録された前記複数個の電話端末による複数の電話回線を利用した電話通信を管理する機能を有する電話通信管理装置であって、
前記電話端末からの登録要求を受けたときに、当該電話端末が、複数の電話回線に対応する機能を備えているか否かを、前記電話端末からの情報に基づいて判別する端末判別手段と、
前記端末判別手段で、前記登録要求してきた前記電話端末が、前記複数の電話回線に対応する機能を備えていると判別したときに、前記電話端末に、前記電話通信管理装置との間で拡張メッセージ用コネクションを確立するためのアドレス情報を送信するアドレス情報送信手段と、
前記確立された拡張メッセージ用コネクションを通じて前記複数の電話回線の使用状態に関する回線状態情報を前記電話端末に送信する手段と
を備えることを特徴とするＶｏＩＰ電話システム用の電話通信管理装置。
【請求項５】
前記端末判別手段は、前記電話端末からの登録要求メッセージに含まれる製造者コードおよび製品コードをチェックして、前記登録要求してきた前記電話端末が、前記複数の電話回線に対応する機能を備えているかどうかを判別することを特徴とする請求項４に記載のＶｏＩＰ電話システム用の電話通信管理装置。
【請求項６】
前記アドレス情報送信手段は、前記電話端末からの登録要求に対して前記電話端末に返信する登録確認メッセージ中に、前記拡張メッセージ用コネクションを確立するためのアドレス情報を製造者特有情報として含めて前記電話端末に送信することを特徴とする請求項４に記載のＶｏＩＰ電話システム用の電話通信管理装置。
【請求項７】
ＩＰネットワークからなるローカルエリアネットワークに接続されると共に、登録された複数個の電話端末による複数の電話回線を利用した電話通信を管理する機能を有する電話通信管理装置と前記ローカルエリアネットワークを介して接続され、複数の電話回線に対応する機能を備えているＶｏＩＰ電話システム用の電話端末であって、
前記電話通信管理装置に登録要求をしたときに、前記電話通信管理装置からの前記拡張メッセージ用コネクションを確立するためのアドレス情報を受信し、当該受信したアドレス情報を用いて、前記拡張メッセージ用コネクションを前記電話通信管理装置との間に確立する手段と、
前記確立された拡張メッセージ用コネクションを通じて前記電話通信管理装置から送られてくる前記回線状態情報に基づいて、前記複数の電話回線の使用状態を使用者に報知する手段と
を備えることを特徴とするＶｏＩＰ電話システム用の電話端末。
【発明の詳細な説明】
【０００１】
【発明の属する技術分野】
この発明は、ＶｏＩＰ（Ｖｏｉｃｅ  ｏｖｅｒ  Ｉｎｔｅｒｎｅｔ  Ｐｒｏｔｏｃｏｌ）電話システム、このＶｏＩＰ電話システム用の電話通信管理装置および電話端末に関する。
【０００２】
【従来の技術】
インターネットやイントラネットのようなＩＰ（Ｉｎｔｅｒｎｅｔ  Ｐｒｏｔｏｃｏｌ）ネットワークを利用して音声信号を送る技術であるＶｏＩＰを用いて電話通信を行うようにするＶｏＩＰ電話システムが提供されている。このＶｏＩＰ電話システムは、例えば、一般のＬＡＮ（ローカルエリアネットワーク）用の規格であるＩＴＵ‐Ｔ勧告Ｈ.３２３が用いられて構成される。
【０００３】
図１０は、このＶｏＩＰ電話システムの全体の概要を示すブロック図である。すなわち、ＶｏＩＰ電話システムは、ゲートキーパー１と、複数の電話端末２１、２２、・・・、２ｎと、ＬＡＮ３と、ＶｏＩＰゲートウエイ４とによって構成される。
【０００４】
複数の電話端末２１〜２ｎのそれぞれは、コンピュータの機能を備えると共に、ハンドセット２１Ｈ〜２ｎＨを備えている。そして、これらの複数の電話端末２１〜２ｎは、ＬＡＮ３に接続され、このＬＡＮ３を通じてゲートキーパー１に接続されている。
【０００５】
ＶｏＩＰゲートウエイ４は、複数の電話回線６によって電話網５と接続されると共に、ＬＡＮ３に接続される。このゲートウエイ４は、電話網５とＩＰネットワークとを接続するための機能を備える中継管理装置の役割を果たすもので、連続音声信号とＩＰ音声パケットの相互変換や、ＩＰ音声パケットのゲートキーパー１とのやり取り、さらに、電話番号とＩＰアドレスとの相互変換を行う。
【０００６】
この場合、ＬＡＮ３は、ＩＴＵ−Ｔ勧告Ｈ．３２３の規格によるＩＰネットワークの構成とされている。
【０００７】
ゲートキーパー１は、ＩＴＵ−Ｔ勧告Ｈ．３２３のシステム構成の中で中心的な管理機能を担当するもので、例えばパーソナルコンピュータで構成される。複数の電話端末２１〜２ｎのそれぞれは、ＬＡＮ３に接続されたときに、ゲートキーパー１に登録される。
【０００８】
ゲートキーパー１は、システム内のゲートウエイ４や複数の電話端末２１〜２ｎの管理、帯域幅の割り当て、電話番号とＩＰアドレスの対応付けなどを行い、登録された複数個の電話端末による複数の電話回線６を利用した電話通信を管理する機能を有する電話通信管理装置の役割を果たす。
【０００９】
ＩＴＵ−Ｔ勧告Ｈ．３２３の規格は、本来、シングルライン用の規格であるので、従来のＶｏＩＰ電話システムにおいては、電話端末２１〜２ｎのそれぞれは、シングルライン仕様となっている。そのため、従来のＶｏＩＰ電話システムにおいては、電話端末２１〜２ｎのそれぞれは、１回線用の電話機のような使い方をしている。
【００１０】
この場合、電話端末２１〜２ｎのそれぞれは、ディスプレイを備え、その表示画面に、一つの回線ランプが表示される。あるいは、電話端末２１〜２ｎのそれぞれは、発光ダイオードからなる一つの回線ランプを備える。そして、電話端末２１〜２ｎのそれぞれでは、その回線ランプの表示状態が、「空き」と「使用中」と「着信中」と「保留中」とで変更されるように構成されている。
【００１１】
例えば、電話端末２１〜２ｎからの発呼時には、発呼要求を受けたゲートキーパー１が複数の電話回線６のうちから、一つの空き電話回線を捕まえ、その空き回線を用いて電話端末から送られてくる電話番号を用いて、ゲートウエイ４を通じてダイヤル送信を行い、相手が応答したら通話路を確立する。このとき、電話端末の回線ランプは「使用中」の表示状態になる。
【００１２】
そして、電話端末は、送話音声信号をデジタル符号化すると共に、一定の時間分毎に区切ってパケット化して、ゲートキーパー１を通じてゲートウエイ４に送る。ゲートウエイ４は、パケット化されている音声データをパケット分解し、アナログ音声信号に戻して電話網５を通じて相手方に送る。
【００１３】
また、相手からの音声信号は、ゲートウエイ４でパケット化され、ゲートキーパー１で通話相手の電話端末のＩＰアドレスが付加されて、ＬＡＮ３を通じて電話端末に送られる。パケットデータを受け取った電話端末は、パケット分解し、アナログ音声信号に戻し、ハンドセットにその音声信号を送る。
【００１４】
次に、外線着信について説明する。この場合、外線着信には、ゲートキーパー１が管理する電話端末のそれぞれを特定しない着信（以下、放送着信と呼ぶ）と、ゲートキーパー１が管理する電話端末のうちの特定の電話端末を指定する着信（以下、個別着信と呼ぶ）とがある。個別着信は、例えば、電話番号に電話端末を特定するための番号（内線番号など）が加わったものとして着信される。
【００１５】
放送着信のときには、ゲートキーパー１は、ＬＡＮ３を通じて接続されているすべての電話端末２１〜２ｎに、マルチキャストやブロードキャストにより、着信を知らせるパケットを送る。このパケットを受け取った電話端末２１〜２ｎのそれぞれは、表示画面の回線ランプを「着信中」の表示状態にする。電話端末２１〜２ｎのいずれかの使用者が着信応答をすると、ゲートキーパー１は通話路を確立するので、上述の発呼の場合と同様にして通話音声の授受が行われる。
【００１６】
また、個別着信のときには、ゲートキーパー１は、着信メッセージに含まれる電話端末を特定するための情報から、電話端末を特定し、その特定した電話端末との間に呼を生成し、その特定した電話端末のみに着信を通知する。この通知を受け取った電話端末は、放送着信の場合と同様にして、表示画面の回線ランプを「着信中」の表示状態にする。そして、当該電話端末の使用者が着信応答をすると、ゲートキーパー１は通話路を確立するので、上述の発呼の場合と同様にして通話音声の授受が行われる。
【００１７】
【発明が解決しようとする課題】
以上のように従来のＶｏＩＰ電話システムでは、システム内の複数の電話端末のそれぞれは、シングルライン仕様となっているため、いわゆるボタン電話システムのような複数の電話回線に対応する機能（以下、この機能を備えることをマルチライン対応という）は装備しておらず、従来のＶｏＩＰ電話システムを構内交換システムとして使用しようとする場合には、非常に不便であった。
【００１８】
そこで、電話端末をマルチライン対応にするために、電話端末に、システムが収納している複数の電話回線のそれぞれに対応する複数の回線ランプを、例えばその表示画面に表示したり、あるいは発光ダイオードにより構成したりして設け、ゲートキーパー１から、各回線ランプの表示状態を決定するために、対応する各回線の使用状態に関する回線状態情報を受け取るようにすることが考えられている。
【００１９】
この場合に、ゲートキーパー１から複数の電話端末に回線状態情報を通知する方法としてＩＴＵ−Ｔ勧告Ｈ．３２３の規格をそのまま適用するとした場合には、ゲートキーパー１は、回線の使用状態が変化して通知が必要になるたびに、マルチライン対応の電話端末のそれぞれに対して呼を生成し、付加サービスの情報として回線状態情報を通知するようにすることが考えられる。
【００２０】
しかしながら、この場合には、回線状態情報を通知する必要が生じるたびに、複数個の電話端末のそれぞれに対して呼を生成しなければならないと共に、回線状態情報はデータ量が多いため、その通知のためのＬＡＮ３上の通信負荷が大きくなるという問題がある。
【００２１】
回線状態情報の通信頻度を減らしてＬＡＮ３上の通信負荷を軽減するため、マルチキャストやブロードキャストにより、回線状態情報を複数の電話端末に同時に送ることも考えられる。
【００２２】
しかし、ＬＡＮ３に、マルチライン対応の電話端末だけでなく、従来のシングルライン仕様の電話端末も接続される場合には、マルチキャストやブロードキャストにより回線ランプ状態情報を通知すると、シングルライン仕様の電話端末に悪影響を与える恐れがある。
【００２３】
また、マルチライン対応の複数の電話端末がルーターなどを介して接続されている場合には、それらの複数の電話端末はＬＡＮ３の外部セグメントとなるので、マルチキャストやブロードキャストでは、それらの電話端末に回線ランプ状態情報を通知することができないという問題もある。
【００２４】
この発明は、以上の点にかんがみ、マルチライン対応の電話端末を接続する場合に、上述のような問題点を回避できるようにしたＶｏＩＰ電話システムを提供することを目的とする。
【００２５】
【課題を解決するための手段】
上記の課題を解決するために、請求項１の発明のＶｏＩＰ電話システムにおいては、
ＩＰネットワークからなるローカルエリアネットワークに接続される複数個の電話端末と、
前記複数個の電話端末と前記ローカルエリアネットワークを介して接続され、登録された前記複数個の電話端末による複数の電話回線を利用した電話通信を管理する機能を有する電話通信管理装置と
を備えるＶｏＩＰ電話システムにおいて、
前記電話通信管理装置は、
前記電話端末からの登録要求を受けたときに、当該電話端末が、複数の電話回線に対応する機能を備えているか否かを、前記電話端末からの情報に基づいて判別する端末判別手段と、
前記端末判別手段で、前記登録要求してきた前記電話端末が、前記複数の電話回線に対応する機能を備えていると判別したときに、前記電話端末に、前記電話通信管理装置との間で拡張メッセージ用コネクションを確立するためのアドレス情報を送信するアドレス情報送信手段と、
前記確立された拡張メッセージ用コネクションを通じて前記複数の電話回線の使用状態に関する回線状態情報を前記電話端末に送信する手段と
を備え、
前記複数の電話回線に対応する機能を備えている前記電話端末は、
前記電話通信管理装置に登録要求をしたときに、前記電話通信管理装置からの前記拡張メッセージ用コネクションを確立するためのアドレス情報を受信し、当該受信したアドレス情報を用いて、前記拡張メッセージ用コネクションを前記電話通信管理装置との間に確立する手段と、
前記確立された拡張メッセージ用コネクションを通じて前記電話通信管理装置から送られてくる前記回線状態情報に基づいて、前記複数の電話回線の使用状態を使用者に報知する手段と
を備えることを特徴とする。
【００２６】
そして、請求項２の発明は、請求項１に記載のＶｏＩＰ電話システムにおいて、
前記電話通信管理装置の前記端末判別手段は、前記電話端末からの登録要求メッセージに含まれる製造者コードおよび製品コードをチェックして、前記登録要求してきた前記電話端末が、前記複数の電話回線に対応する機能を備えているかどうかを判別することを特徴とする。
【００２７】
また、請求項３の発明は、請求項１に記載のＶｏＩＰ電話システムにおいて、前記電話通信管理装置の前記アドレス情報送信手段は、前記電話端末からの登録要求に対して前記電話端末に返信する登録確認メッセージ中に、前記拡張メッセージ用コネクションを確立するためのアドレス情報を製造者特有情報として含めて前記電話端末に送信することを特徴とする。
【００２８】
【作用】
上述の構成の請求項１の発明によれば、電話端末が電話通信管理装置に対して登録要求をすると、電話通信管理装置の端末判別手段は、登録要求してきた電話端末が複数の電話回線に対応する機能を備えているかどうか判別する。この判別の結果、登録要求してきた電話端末が、複数の電話回線に対応する機能を備えていると判別したときには、電話通信管理装置のアドレス情報送信手段は、その登録要求してきた電話端末に、その電話端末と電話通信管理装置との間で拡張メッセージ用コネクションを確立するためのアドレス情報を送信する。
【００２９】
登録要求した複数の電話回線に対応する機能を備える電話端末は、そのアドレス情報を受け取ると、当該受信したアドレス情報を用いて、拡張メッセージ用コネクションを電話通信管理装置との間に確立する。
【００３０】
電話通信管理装置は、確立された拡張メッセージ用コネクションを通じて複数の電話回線の使用状態に関する回線状態情報を電話端末に送信する。電話端末は、この回線状態情報を受け取って複数の電話回線の使用状態を使用者に報知する。
【００３１】
以上のようにして、請求項１の発明においては、複数の電話回線に対応する機能を備える電話端末が電話通信管理装置に登録すると、その電話端末と電話通信管理装置との間に拡張メッセージ用コネクションが確立される。すなわち、その電話端末と電話通信管理装置との間は、常に、拡張メッセージ用コネクションで接続される。
【００３２】
そして、電話通信管理装置は、この拡張メッセージ用コネクションを通じて、複数の電話回線の使用状態に関する回線状態情報を電話端末に通知する。したがって、電話端末は、この回線状態情報に基づいて、常に複数の電話回線の直近の状態を使用者に報知することができる。
【００３３】
この場合に、請求項１の発明によれば、回線状態情報を電話端末に通知するために、冒頭で述べたような呼を生成する必要はないので、それだけ、ＬＡＮ上での通信負荷が軽減される。また、複数の電話回線に対応する機能を備える電話端末と電話通信管理装置との間にだけ、拡張メッセージ用コネクションが生成されるので、複数の電話回線に対応する機能を備えていない電話端末がネットワーク内に存在していても、それに悪影響を与えることはない。
【００３４】
また、マルチキャストやブロードキャストによる通知を行うものではないので、ルーターなどを介して接続されたＬＡＮの外部の電話端末に対しても確実に回線状態情報を通知することができる。
【００３５】
また、請求項２の発明によれば、電話通信管理装置の端末判別手段は、電話端末からの登録要求メッセージに含まれる製造者コードおよび製品コードをチェックして複数の電話回線に対応する電話端末であるかどうかを判別する。
【００３６】
したがって、複数の電話回線に対応する電話端末は、自装置が複数の電話回線に対応する電話端末であることを示す情報を別途に用意して、電話通信管理装置に送信する必要はなく、構成を簡単にすることができる。
【００３７】
また、請求項３の発明によれば、電話通信管理装置のアドレス情報送信手段は、電話端末からの登録要求に対して返信する登録確認メッセージ中に、拡張メッセージ用コネクションを確立するためのアドレス情報を製造者特有情報として含めて電話端末に送信するので、例えばＬＡＮがＩＴＵ−Ｔ勧告のＨ．３２３の規格のものであっても、特別な変更を加えることなく実現することができる。
【００３８】
【発明の実施の形態】
以下、この発明によるＶｏＩＰ電話システムの実施の形態を、図を参照しながら説明する。この実施の形態のＶｏＩＰ電話システムの基本的な構成は、前述した図１０の構成と全く同一である。
【００３９】
ただし、この実施の形態においては、ＬＡＮ３に接続される複数の電話端末には、複数の電話回線に対応する機能を備える電話端末、すなわち、マルチライン対応の電話端末１００が含まれることと、ゲートキーパーがこのマルチライン対応の電話端末１００との間で拡張メッセージ用コネクションを確立して、その拡張メッセージ用コネクションを通じて、回線状態情報を電話端末に送るようにする機能を備えるゲートキーパー２００である点が、図１０の構成と異なる。
【００４０】
なお、この実施の形態におけるゲートキーパー２００は、請求項中の電話通信管理装置に対応するものである。また、この実施の形態では、複数の電話回線の使用状態を使用者に報知する手段としては、複数個の電話回線の各回線に対応する回線ランプを用いる。そして、実施の形態では、回線ランプは、ディスプレイの画面にアイコンとして表示されている。
【００４１】
そして、回線状態情報は、この実施の形態では、電話端末の各回線ランプの表示状態を決定するための回線ランプ状態情報とされている。もっとも、回線状態情報は、このような回線の使用状態を使用者に報知するための情報に特定する必要はなく、要は、各回線の使用状態を示すものであればよい。
【００４２】
［マルチライン対応の電話端末１００のハードウエア構成例］
この実施の形態のシステムにおけるマルチライン対応の電話端末１００のハードウエア構成例を図２に示す。この実施の形態の電話端末１００は、端末本体１０１と、ハンドセット１０２とからなる。ハンドセット１０２は、図示を省略したが、送話器を構成するマイクロホンと、送話アンプと、受話器を構成するスピーカと、受話アンプとを備えている。
【００４３】
端末本体１０１は、コンピュータにより構成されており、ＣＰＵ１１０に対して、システムバス１１１を介してＲＯＭ１１２と、ＲＡＭ１１３と、ディスプレイコントローラ１１４と、操作入力インターフェイス（図ではインターフェイスはＩ／Ｆと記載する。以下同じ）１１６と、ＬＡＮインターフェイス１１８と、パケット分解／生成部１１９と、音声データ入出力インターフェイス１２０とが接続されている。
【００４４】
ディスプレイコントローラ１１４には、ディスプレイ１１５が接続されており、このディスプレイ１１５の表示画面には、ＣＰＵ１１０の制御にしたがった表示が行われる。
【００４５】
また、操作入力インターフェイス１１６には、テンキー、カーソルキーやその他の操作キーを含む操作入力部１１７が接続されている。ＣＰＵ１１０は、操作入力インターフェイス１１６を介して操作入力部１１７を通じて使用者がいずれの入力キーを操作したかを認識し、その認識結果に基づいて、キー入力操作に応じた処理をＲＯＭ１１２のプログラムに従って実行する。
【００４６】
ＲＯＭ１１２には、電話端末１００をゲートキーパー２００に登録する際の処理シーケンスを実行するためのプログラム、マルチライン対応の電話端末としての発呼時や着呼時の処理シーケンス、複数の電話回線の状態表示を実行するためのプログラムなどが記憶されている。
【００４７】
すなわち、この実施の形態の場合、この電話端末１００のＲＯＭ１１２の、ゲートキーパー２００に登録する際の処理シーケンスを実行するプログラムには、後述するように、拡張メッセージ用コネクションを確立し、複数の電話回線の割り付け情報を取得してディスプレイの表示画面に表示するステップが含まれる。
【００４８】
そして、確立された拡張メッセージ用コネクションを通じてゲートキーパー２００から送られてくる回線ランプ状態情報を監視し、受信した回線ランプ状態情報に基づいて表示画面の回線ランプの状態表示を変更する処理プログラムも、ＲＯＭ１１２は備えている。
【００４９】
ＲＡＭ１１３は、主としてＲＯＭ１１２のプログラムがＣＰＵ１１０によって実行される際にワークエリアとして使用される。
【００５０】
ＬＡＮインターフェイス１１８は、ＬＡＮ３を通じて送られてくるパケット化データを取り込み、また、ＬＡＮ３にパケット化データを送出するための機能を備える。
【００５１】
パケット分解／生成部１１９は、ＬＡＮインターフェイス１１８により取り込んだパケット化データを分解して、制御データや音声データを得る機能と、送信する制御データや音声データをパケット化して送出するパケット化データを生成する機能を有する。このパケット分解／生成部１１９は、パケット化データを分解したり、生成したりするためのバッファメモリを備える。
【００５２】
なお、このパケット分解／生成部１１９のパケット分解処理機能や生成処理機能は、ＣＰＵ１１０と、ＲＯＭ１１２とにより、ソフトウエアとして実現することもできる。
【００５３】
音声データ入出力インターフェイス１２０は、パケット分解されて得られた音声データをアナログ音声信号に変換してハンドセット１０２に供給し、また、ハンドセット１０２から入力されるアナログ音声信号をデジタル信号に変換して取り込む機能を備える。
【００５４】
［ゲートキーパー２００のハードウエア構成例］
次に、この実施の形態のシステムにおけるゲートキーパー２００のハードウエア構成例を図３に示す。この実施の形態のゲートキーパー２００は、例えばパーソナルコンピュータにより構成されるもので、ＣＰＵ２１０に対して、システムバス２１１を介してＲＯＭ２１２と、ＲＡＭ２１３と、ＬＡＮインターフェイス２１４と、パケット処理部２１５と、ネットワーク管理メモリ２１６と、マルチライン対応端末データベース２１７とが接続されている。
【００５５】
ＲＯＭ２１２には、電話端末１００から登録要求があったときの処理シーケンスを実行するためのプログラムや、電話番号情報とＩＰアドレスとの変換の処理プログラムなど、ゲートキーパー２００が実行する処理プログラムが記憶されている。
【００５６】
この実施の形態の場合には、電話端末１００から登録要求があったときの処理シーケンスを実行するためのプログラムには、後述するように、登録要求してきた電話端末がマルチライン対応であるか否かを判別するステップと、電話端末がマルチライン対応であると判別したときに、電話端末から拡張メッセージ用コネクションを確立させ、複数の電話回線の割り付け情報をその確立された拡張メッセージ用コネクションを通じて送信するステップが含まれる。
【００５７】
また、発呼や着呼など、回線使用状態が変化するようなイベントが発生したときに、確立された拡張メッセージ用コネクションを通じてそれぞれの電話端末に変化後の回線ランプ状態情報を送るようにするための処理プログラムも、ＲＯＭ２１２は備えている。
【００５８】
ＲＡＭ２１３は、主としてＲＯＭ２１２のプログラムがＣＰＵ２１０によって実行される際にワークエリアとして使用される。
【００５９】
また、ＬＡＮインターフェイス２１４は、ＬＡＮ３を通じて送られてくるパケット化データを取り込み、また、ＬＡＮ３にパケット化データを送出するための機能を備える。
【００６０】
パケット処理部２１５は、ＬＡＮインターフェイス２１４により取り込んだパケットが、制御データのパケットであった場合には、その制御データを解読するために、受信したパケットを分解し、また、送信する制御データのパケット化データを生成する機能を有する。
【００６１】
また、ＬＡＮインターフェイス２１４により取り込んだパケットが音声データのパケットの場合には、ゲートキーパー２００は、ゲートウエイ４からのパケットは電話端末に宛てて、電話端末からのパケットはゲートウエイ４または他の電話端末に宛てて、その音声パケットを転送するようにする。
【００６２】
そして、パケット処理部２１５は、パケット化データを分解／生成したり、転送処理のために一時保存したりするためのバッファメモリを備える。
【００６３】
ネットワーク管理メモリ２１６は、ネットワーク内に存在するゲートウエイ４や複数の電話端末の登録情報やそれらのＩＰアドレスおよび、電話端末のＩＰアドレスと電話番号との対応などの情報を記憶している。ＣＰＵ２１０は、それらの情報を用いて、パケットの行き先のＩＰアドレスを決定したり、受信先のＩＰアドレスを判別したりする。
【００６４】
マルチライン対応端末データベース２１７は、マルチライン対応の電話端末１００の製造者コードおよび製品コードのすべてを予め記憶して保持する。後述するように、ＣＰＵ２１０は、ＲＯＭ２１２に記憶されているプログラムに従って、ゲートキーパー２００への登録時に電話端末から送られてくる登録要求メッセージに含まれる製造者コードおよび製品コードと、データベース２１７に記憶されている製造者コードおよび製品コードとを比較対照することにより、登録要求してきた電話端末が、マルチライン対応の電話端末１００であるかどうかを判別するようにする。
【００６５】
［マルチライン対応機能を実現するための機能構成の説明］
図１は、この発明によるＶｏＩＰ電話システムにおいて、マルチライン対応機能を電話端末１００で実現するための機能ブロック図である。この図１の機能ブロック図は、上述のようなハードウエア構成を備える電話端末１００およびゲートキーパー２００において、マルチライン対応機能を実現するために、複数の電話回線のそれぞれの回線に対応する回線ランプ表示を、電話端末１００のディスプレイ１１５の画面のそれぞれで行えるようにすると共に、その回線ランプ表示を、対応する電話回線の使用状況に応じて変更させるようにするための構成（機能構成）を示すものである。
【００６６】
この図１の機能ブロック図の各手段は、電話端末１００のＣＰＵ１１０およびゲートキーパー２００のＣＰＵ２１０により、ソフトウエア処理として実行される部分を機能手段として記載したものである。なお、この機能ブロック図は、コンピュータによるソフトウエア処理を行わずにハードウエアで構成したときの各構成部分に対応するものである。
【００６７】
電話端末１００は、ＲＡＳ（Ｒｅｓｉｓｔｒａｔｉｏｎ，Ａｄｍｉｓｓｉｏｎ，Ｓｔａｔｕｓ、登録・通行許可・通信状態）制御手段１３１と、拡張コネクション制御手段１３２と、回線ランプ表示制御手段１３３と、呼制御手段１３４と、状態管理手段１３５とを備える。
【００６８】
また、ゲートキーパー２００は、ＲＡＳ制御手段２２１と、拡張コネクション制御手段２２２と、回線ランプ状態管理部２２３と、呼制御手段２２４と、端末判定手段２２５とを備える。
【００６９】
この機能ブロック図の各手段を用いてマルチライン対応機能を実現するための動作を、図４のシーケンス図を参照しながら説明する。
【００７０】
先ず、電話端末１００をＶＩＯＰ電話システムに接続するためにＬＡＮ３に接続する。そして、電話端末１００に電源を投入すると、電話端末１００は、ＲＡＳ制御手段１３１により、ゲートキーパー２００に対して登録要求メッセージＲＲＱを送出する。この登録要求メッセージＲＲＱには、従来と同様に登録要求を発している電話端末１００の製造者コードおよび製品コードが含まれている。これら製造者コードおよび製品コードは、例えばＲＯＭ１１２に記憶されており、登録要求メッセージＲＲＱの発行時に読み出されて、当該メッセージに含められる。
【００７１】
ゲートキーパー２００では、この登録要求メッセージＲＲＱをＲＡＳ制御手段２２１で受け取る。そして、ＲＡＳ制御手段２２１は、受信した登録要求メッセージＲＲＱから、製造者コードおよび製品コードを抽出して端末判別手段２２５に渡す。
【００７２】
端末判別手段２２５は、マルチライン対応端末データベース２１８に記憶されている製造者コードおよび製品コードの組の中に、ＲＡＳ制御手段２２１から受け取った製造者コードおよび製品コードの組と一致しているものがあるかどうかを調べる。そして、一致している製造者コードおよび製品コードの組があれば、登録要求してきた電話端末は、マルチライン対応の電話端末１００であると判別し、そうでなければ、従来と同様のシングルライン仕様の標準端末であると判別する。
【００７３】
端末判別手段２２５は、登録要求してきた電話端末がマルチライン対応の電話端末１００であるかどうかの判別結果をＲＡＳ制御手段２２１および拡張コネクション制御手段２２２に通知する。
【００７４】
この判別結果の通知を受けたＲＡＳ制御手段２２１は、端末判別手段２２５からの判別結果に応じて異なる登録確認メッセージＲＣＦを、登録要求してきた電話端末に返す。
【００７５】
すなわち、判別結果が、登録要求してきた電話端末はマルチライン対応の電話端末であることを示しているときには、ＲＡＳ制御手段２２１は、ＩＴＵ−Ｔ勧告のＨ．３２３で定められているＮＳＤ（Ｎｏｔ  Ｓｔａｎｄａｒｄ；製造者特有情報）として、登録要求してきた電話端末に回線ランプ状態情報を提供するための拡張メッセージ用コネクションを確立するためのトランスポートアドレスを含めた登録確認メッセージＲＣＦを、登録要求してきた電話端末に返す。
【００７６】
このトランスポートアドレスは、拡張メッセージ用サーバアドレスを意味しており、回線ランプ状態情報を提供するサーバとしてのゲートキーパー２００のポート番号と、ゲートキーパー２００のＩＰアドレスからなる。
【００７７】
また、判別結果が、登録要求してきた電話端末はマルチライン対応の電話端末ではないことを示しているときには、ＲＡＳ制御手段２２１は、従来と同様の登録確認メッセージＲＣＦを登録要求してきた電話端末に返す。このときの登録確認メッセージＲＣＦには、前記ＮＳＤ（製造者特有情報）は含まれない。
【００７８】
マルチライン対応の電話端末１００は、登録確認メッセージＲＣＦをＲＡＳ制御手段１３１で受け取り、登録確認メッセージＲＣＦに含まれる製造者特有情報としてのトランスポートアドレスを抽出し、拡張コネクション制御手段１３２に転送する。すると、拡張コネクション制御手段１３２は、受け取ったトランスポートアドレスに対して拡張メッセージ用コネクションを確立する。
【００７９】
ここまでの通信は、ＵＤＰ（Ｕｓｅｒ  Ｄａｔａｇｒａｍ  Ｐｒｏｔｏｃｏｌ）によってコネクションレス型で行われる。そして、拡張メッセージ用コネクションが確立された後（図４において点線で囲んだ部分の通信）は、ＴＣＰ（Ｔｒａｎｓｍｉｓｓｉｏｎ  Ｃｏｎｔｒｏｌ  Ｐｒｏｔｏｃｏｌ）によってデータ通信が行われる。
【００８０】
拡張メッセージ用コネクションが確立されると、先ず、電話端末１００の拡張コネクション制御手段１３２は、自端末の端末アドレス（拡張コネクション用のアドレス）をゲートキーパー２００に、その拡張メッセージ用コネクションを通じて送る。ゲートキーパー２００では、拡張コネクション制御手段２２２で、この端末アドレスを受けて、登録してきた電話端末との間の拡張メッセージ用コネクションを特定および確立する。
【００８１】
そして、ゲートキーパー２００は、確立された拡張メッセージ用コネクションを通じて、複数個の電話回線のそれぞれについての回線ランプ割付情報と、対応する回線の使用状態に応じた回線ランプの表示状態を決定するための回線ランプ状態情報の全回線分を電話端末１００に送る。
【００８２】
回線ランプ割付情報および各回線ランプについての回線ランプ状態情報を受け取った電話端末１００の拡張コネクション制御手段１３２は、それら受け取った情報を回線ランプ表示制御手段１３３に転送する。
【００８３】
回線ランプ表示制御手段１３３は、受け取った回線ランプ割付情報に基づいて、例えば図５に示すように、ディスプレイ１１５の画面１１５Ｄに、複数の電話回線の１回線毎にそれぞれ対応する複数個の回線ランプのアイコン１４１を表示する。
【００８４】
そして、回線ランプ表示制御手段１３３は、受け取った全回線分の回線ランプ状態情報により、各回線ランプのアイコン１４１の表示状態を、「空き状態」、「使用中」、「着信中」、「保留中」などに応じたものにする。これらの回線の使用状態に応じた回線ランプのアイコン１４１の表示状態は、例えば、アイコンの表示色の違いや、反転表示、点滅などによって区別されるようにされている。
【００８５】
以上によって、マルチライン対応の電話端末１００のゲートキーパー２００への登録時の動作を終了し、電話端末１００のディスプレイ１１５の表示画面には、複数の回線の各回線に対応する回線ランプが割り付けられて表示される。
【００８６】
そして、その後、ゲートキーパー２００は、複数個の電話回線のそれぞれについての使用状態を監視し、使用状態に変更があると、その変更がある毎に、変化分の回線ランプ状態情報を、マルチライン対応の電話端末１００のすべてに、それぞれについて確立されている拡張メッセージ用コネクションを通じて通知する。
【００８７】
例えば、電話端末１００からの発呼時について説明すると、電話端末１００の使用者は、図５に示したようなディスプレイ１１５の回線ランプの使用状態表示から空いている回線を認識して、操作入力部１１７を通じて、その空き回線の選択操作をし、ダイヤル入力を行って発信操作をする。
【００８８】
この場合、図１の例においては、拡張コネクション制御手段１３２は、回線ランプ表示制御手段１３３のみでなく、状態管理手段１３５にも回線ランプ状態情報が送られており、状態管理手段１３５では、この回線ランプ状態情報に基づいて、複数の回線の使用状況を、回線ランプアイコン１４１の表示通りに把握している。このため、操作入力部１１７を通じた回線選択操作によって使用中の回線が選択されたときには、状態管理手段１３５は発呼処理を行わない。
【００８９】
そして、使用者が空き回線を選択してダイヤル入力操作をしたときには、状態管理手段１３５は、呼制御手段１３４を通じてゲートキーパー２００に呼設定要求メッセージを送出する。このとき、呼制御手段１３４から送出される呼設定要求メッセージには、選択された空き回線を特定するための情報、この例では、回線番号の情報が含まれる。
【００９０】
そして、このとき呼制御手段１３４は、発呼のために選択された空き回線の回線番号の情報を回線ランプ表示制御手段１３３に通知する。回線ランプ表示制御手段１３３は、これによりディスプレイ１１５の回線ランプの状態表示画面における対応する回線ランプのアイコン１４１を回線選択中の表示状態にする。例えば、選択された回線に対応する回線ランプアイコン１４１にアンダーバーを付与するなどによって、対応する回線が選択中であることを示すようにしている。
【００９１】
ゲートキーパー２００では、電話端末からの呼設定要求メッセージを呼制御手段２２４で受けると、発呼時の制御を行うが、その際に、回線ランプ状態情報の変更を次のようにしてマルチライン対応の電話端末１００のすべてに通知する。
【００９２】
まず、呼制御手段２２４は、呼設定要求メッセージに含まれる回線番号の情報を抽出し、回線ランプ状態管理手段２２３に、その回線番号を呼設定である旨の情報と共に通知する。
【００９３】
その通知を受けた回線ランプ状態管理手段２２３は、呼設定要求された回線番号の回線に対応する回線ランプの状態を、「空き状態」から「使用中」の状態にすることを内容とする変化した分の回線ランプ状態情報を生成し、その生成した変化分回線ランプ状態情報を拡張コネクション制御手段２２２に転送する。
【００９４】
拡張コネクション制御手段２２２は、受信した変化分回線ランプ状態情報を、それぞれ確立されている拡張メッセージ用コネクションを通じて、各マルチライン対応の電話端末１００のそれぞれに送る。
【００９５】
各電話端末１００の拡張コネクション制御手段１３２は、この変化分の回線ランプ状態情報を受信すると、それを回線ランプ表示制御手段１３３に転送する。回線ランプ表示制御手段１３３は、受け取った変化分の回線ランプ状態情報に基づいて、使用状態が変化した回線に対応する回線ランプのアイコン１４１の状態を、通知された状態に、この場合には、「使用中」に変更する。
【００９６】
このとき、発呼を行った電話端末１００では、「使用中」の表示状態になった回線ランプのアイコン１４１には、前述したように、使用者が回線選択したことが付加表示されているので、両表示により、自分が使用中であることを使用者は知ることができる。なお、自己が使用中を、他者使用中と、回線ランプ表示色などを異ならせることによって、表示するようにすることもできる。
【００９７】
次に、ゲートキーパー２００に着信があった場合の回線ランプの状態表示について説明する。前述したように、この場合の着信には、放送着信と個別着信とがあるが、それぞれの場合でゲートキーパー２００から電話端末１００への回線ランプ状態情報の通知方法が異なる。
【００９８】
まず、放送着信の場合には、呼制御手段２２４は、それを認識して、放送着信があった旨および放送着信があった回線番号の情報を回線ランプ状態管理手段２２３に転送する。回線ランプ状態管理手段２２３は、転送情報を受けると、放送着信があった回線番号の回線に対応する回線ランプの状態を、「空き状態」から「着信中」の状態にすることを内容とする変化した分の回線ランプ状態情報を生成し、その生成した変化分回線ランプ状態情報を拡張コネクション制御手段２２２に転送する。
【００９９】
拡張コネクション制御手段２２２は、受信した変化分回線ランプ状態情報を、それぞれ確立されている拡張メッセージ用コネクションを通じて、各マルチライン対応の電話端末１００のそれぞれに送る。
【０１００】
各電話端末１００の拡張コネクション制御手段１３２は、この変化分の回線ランプ状態情報を受信すると、それを回線ランプ表示制御手段１３３に転送する。回線ランプ表示制御手段１３３は、受け取った変化分の回線ランプ状態情報に基づいて、使用状態が変化した回線に対応する回線ランプアイコンの状態を、通知された状態に、この場合には、「着信中」に変更する。
【０１０１】
こうして、放送着信の場合には、拡張メッセージ用コネクションを通じてマルチライン対応の電話端末１００のすべてに着信が知らされ、各電話端末１００では、放送着信のあった回線に対応する回線ランプのアイコンにより着信中表示がなされ、マルチライン対応の電話端末１００のいずれによっても着信応答が可能となる。
【０１０２】
この着信中表示に対して、いずれかの電話端末１００の使用者が操作入力部１１７を通じて着信応答操作をすると、その着信応答操作を、その電話端末１００の状態管理手段１３５が認識し、呼制御手段１３４を通じてゲートキーパー２００に着信応答を通知する。このとき着信応答操作がなされた電話端末１００では、「着信中」の表示状態である回線ランプのアイコン１４１に対して、発呼時と同様にして、当該回線が選択中であることを示す表示が行われる。
【０１０３】
着信応答についての情報を呼制御手段２２４で受信したゲートキーパー２００では、着信応答した電話端末の番号を回線ランプ状態管理手段２２３に通知する。回線ランプ状態管理手段２２３は、この通知を受けると、着信応答した電話端末以外の電話端末に、放送着信のあった回線の表示状態を「着信中」から「使用中」に変更するための変化分回線ランプ状態情報を生成し、拡張コネクション制御手段２２２に送る。
【０１０４】
拡張コネクション制御手段２２２は、受け取った変化分回線ランプ状態情報を、それぞれ確立されている拡張メッセージ用コネクションを通じて、各マルチライン対応の電話端末１００のそれぞれに送る。
【０１０５】
各電話端末１００の拡張コネクション制御手段１３２は、この変化分回線ランプ状態情報を受信すると、それを回線ランプ表示制御手段１３３に転送する。回線ランプ表示制御手段１３３は、受け取った変化分回線ランプ状態情報に基づいて、使用状態が変化した回線に対応する回線ランプのアイコン１４１の状態を、通知された状態に、この場合には、「使用中」に変更する。
【０１０６】
次に、個別着信の場合について説明する。ゲートキーパー２００の呼制御手段２２４は、個別着信を認識すると、当該個別着信があった旨および個別着信があった回線番号の情報を回線ランプ状態管理手段２２３に通知すると共に、個別着信の着信メッセージ中に含まれる特定の電話端末１００を指定する情報に基づいて、当該指定された電話端末１００に対してのみ着信通知を行う。
【０１０７】
指定された電話端末１００では、呼制御手段１３４を通じて、この着信通知を受ける。そして、呼制御手段１３４は、受信した着信通知を回線ランプ表示制御手段１３４に転送する。回線ランプ表示制御手段１３４は、着信通知中に含まれる回線番号に対応する回線ランプの表示状態を「着信中」にする。
【０１０８】
個別着信の着信メッセージにより指定されていない電話端末１００に対しては、拡張メッセージ用コネクションを通じて、当該個別着信があった回線について「使用中」を表示するための変化分回線ランプ状態情報を送るようにする。
【０１０９】
すなわち、呼制御手段２２４から個別着信の通知を受けた回線ランプ状態管理部２２３は、回線番号の回線に対応する回線ランプの状態を、「空き状態」から「使用中」の状態にすることを内容とする変化分回線ランプ状態情報を生成し、その生成した変化分回線ランプ状態情報を拡張コネクション制御手段２２２に転送し、個別着信で指定されている電話端末以外の電話端末に通知するように依頼する。
【０１１０】
これを受けた拡張コネクション制御手段２２２は、個別着信で指定されている電話端末以外の電話端末１００に、上記の変化分回線ランプ状態情報を、拡張メッセージ用コネクションを通じて転送する。
【０１１１】
個別着信で指定されている電話端末以外の電話端末１００の拡張コネクション制御手段１３２は、拡張メッセージ用コネクションを通じて送られてくる変化分回線ランプ状態情報を受信し、それを回線ランプ表示制御手段１３３に転送する。回線ランプ表示制御手段１３３は、受け取った変化分の回線ランプ状態情報に基づいて、使用状態が変化した回線に対応する回線ランプアイコンの状態を、通知された状態に、この場合には、「使用中」に変更する。
【０１１２】
以上のようにして、電話端末１００からの発呼時や着信時の回線ランプの表示状態の制御処理が行われる。そして、その後の通話が終了すると、呼制御手段２２４からの通話終了の通知を受けた回線ランプ状態管理手段２２３は、通話が終了して空き状態になった回線番号の回線に対応する回線ランプの状態を、「使用中」の状態から「空き状態」にすることを内容とする変化分回線ランプ状態情報を生成し、その生成した変化分回線ランプ状態情報を各電話端末１００に対して拡張メッセージ用コネクションを通じて転送する。
【０１１３】
各電話端末１００では、拡張コネクション制御手段１３２で前記変化分回線ランプ状態情報を受信し、回線ランプ表示制御手段１３３に転送する。この転送を受けた回線ランプ表示制御手段１３３は、ディスプレイ１１５の対応する回線ランプの表示状態を「使用中」の状態から「空き状態」にする。
【０１１４】
以上は、マルチライン対応の電話端末１００とゲートキーパー２００とのやり取りを中心に説明したものであるが、各電話端末１００のＣＰＵ１１０での処理およびゲートキーパー２００のＣＰＵ２１０での処理を中心に説明すると、次のようになる。
【０１１５】
すなわち、図６および図７は、電話端末１００のＣＰＵ１１０により実行される処理ルーチンを示すフローチャートであり、また、図８および図９は、ゲートキーパー２００のＣＰＵ２１０により実行される処理ルーチンを示すフローチャートである。これらのフローチャートを参照して、ＣＰＵ１１０およびＣＰＵ２１０によるマルチラインに対応する回線ランプの表示制御処理の主要な動作を説明する。
【０１１６】
電話端末１００においては、ＬＡＮ３に接続されて、電源が投入されると、自端末が立ち上がったことを認識し（ステップＳ１）、製造者コードおよび製品コードを含む登録要求メッセージＲＲＱを、ＵＤＰ／ＩＰによりゲートキーパー２００に対して送出する（ステップＳ２）。
【０１１７】
そして、ゲートキーパー２００から送られてくる登録確認メッセージＲＣＦを待ち、登録確認メッセージＲＣＦの受信を確認すると（ステップＳ３）、その登録確認メッセージＲＣＦ中に含まれる拡張メッセージ用サーバアドレス（トランスポートアドレス）を抽出する（ステップＳ４）。次に、抽出した拡張メッセージ用サーバアドレスに対して拡張メッセージ用コネクションを確立する（ステップＳ５）。
【０１１８】
次に、確立された拡張メッセージ用コネクションを通じてＴＣＰ／ＩＰにより自分の端末アドレス（拡張コネクション用のアドレス）を送信する（ステップＳ６）。この端末アドレスにより、ゲートキーパー２００では拡張メッセージ用コネクションの特定および確立がなされ、ゲートキーパー２００からは回線ランプ割付情報および各回線ランプ状態情報が送られてくる。
【０１１９】
電話端末１００では、ゲートキーパー２００からの回線ランプ割付情報および各回線ランプの回線ランプ状態情報を待ち（ステップＳ７）、その受信を確認すると、ディスプレイ１１５の画面に、回線ランプ割付情報に基づいた複数の回線ランプを表示し、その各回線ランプの表示状態を、各回線ランプ状態情報に基づいて決定する（ステップＳ８）。以上で、電話端末１００からのゲートキーパー２００の登録時の動作は終了する。
【０１２０】
その後、通常の使用状態においては、電話端末１００は、拡張メッセージ用コネクションにおいて変化分回線ランプ状態情報の到来を監視し（図７のステップＳ１１）、変化分回線ランプ状態情報の受信を確認すると、受信した変化分回線ランプ状態情報を解析し（ステップＳ１２）、その解析結果に基づいて、ディスプレイ１１５の回線ランプのアイコン１４１の表示状態を変更する（ステップＳ１３）。そして、その後は、ステップＳ１１に戻り、上述の動作を繰り返す。
【０１２１】
次に、ゲートキーパー２００側の処理について説明する。すなわち、ゲートキーパー２００では、電話端末からの登録要求メッセージＲＲＱを監視し（ステップＳ２１）、登録要求メッセージＲＲＱの受信を確認すると（ステップＳ２１）、受信した登録要求メッセージＲＲＱに含まれる製造者コードおよび製品コードを抽出し（ステップＳ２２）、マルチライン対応端末データベース２１７の記憶内容と比較対照してマルチライン対応の電話端末１００であるか否か判別する（ステップＳ２３）。
【０１２２】
判別の結果、登録要求してきた電話端末がマルチライン対応の電話端末１００ではないと判別したときには、登録要求メッセージＲＲＱに対する登録確認メッセージＲＣＦとして、従来と同様のメッセージ（ＮＳＤ（製造者特有情報）を含まない）を登録要求してきた電話端末に対して返信し（ステップＳ２８）、従来のシングルライン仕様の電話端末に対する登録時のシーケンスを実行する（ステップＳ２９）。
【０１２３】
一方、判別の結果、登録要求してきた電話端末がマルチライン対応の電話端末１００であると判別したときには、拡張メッセージ用サーバアドレスをＮＳＤ（製造者特有情報）として含む登録確認メッセージＲＣＦを、登録要求してきた電話端末に対して返信する（ステップＳ２４）。
【０１２４】
前述したように、これに対しては、登録要求してきた電話端末１００は拡張メッセージ用コネクションを確立するようにするので、その拡張メッセージ用コネクションを通じた電話端末１００の端末アドレス（拡張コネクション用のアドレス）の受信を待ち、前記端末アドレスの受信を確認すると（ステップＳ２５）、登録要求してきた電話端末１００との拡張メッセージ用コネクションを特定および確立する（ステップＳ２６）。
【０１２５】
そして、その確立した拡張メッセージ用コネクションを通じて、登録要求してきた電話端末１００に対して、回線ランプ割付情報および回線ランプ状態情報を送る（ステップＳ２７）。以上で電話端末からの登録時の動作は終了する。
【０１２６】
その後の通常の使用状態においては、回線の使用状態が変更されるようなイベント（例えば発呼や着信など）が発生したかどうか監視し（図９のステップＳ３１）、前記イベントが発生したことを確認したときには（ステップＳ３１）、当該変化した分の回線ランプ状態情報を生成し（ステップＳ３２）、当該生成した変化分回線ランプ状態情報を、拡張メッセージ用コネクションを通じて、各電話端末１００に送信する（ステップＳ３３）。そして、その後は、ステップＳ３１に戻り、上述の動作を繰り返す。
【０１２７】
なお、上述の登録時の説明では省略したが、登録要求をした電話端末１００には、ゲートキーパー２００によりシステム内のＩＰアドレスが与えられるものである。
【０１２８】
以上のようにして、この実施の形態の電話システムにおいては、ゲートキーパー２００は、電話端末からの登録要求があったときに、マルチライン対応の電話端末１００にのみ、ＮＳＤ（製造者特有情報）として拡張コネクション用のサーバアドレスを通知し、マルチライン対応ではない電話端末には通知しないので、従来からある電話端末は、従来通り、ＶｏＩＰ電話システム内に接続して使用することができる。
【０１２９】
そして、ゲートキーパー２００からマルチライン対応の電話端末１００への回線ランプ状態情報の送信は、マルチライン対応の各電話端末とゲートキーパー２００との間で確立されて、常時接続される拡張メッセージ用コネクションを通じて行われるので、マルチライン対応ではない電話端末が、システム内に存在しても、それらの電話端末に悪影響を及ぼすようなことはない。
【０１３０】
また、ゲートキーパー２００からマルチライン対応の電話端末１００への回線ランプ状態情報の送信は、マルチライン対応の各電話端末とゲートキーパー２００との間で確立された拡張メッセージ用コネクションを通じて行われ、マルチキャストやブロードキャストは用いられないので、電話端末１００がルーターなどを介して接続されていても、回線ランプ状態情報は確実に電話端末に通知されるものである。
【０１３１】
［変形例］
上述の実施の形態においては、電話端末１００のゲートキーパー２００への登録時にマルチライン対応の電話端末であるか否かの判別は、登録要求メッセージＲＲＱに含まれる製造者コードおよび製品コードを用いるようにしたが、マルチライン対応であるか否かの判別の方法は、これに限られるものではなく、例えば、判別のための特定の情報を電話端末１００から送るようにしてもよい。
【０１３２】
また、ゲートキーパー２００からの拡張コネクション用サーバアドレスの送り方も、上述の実施の形態に限定されるものではないことは勿論である。
【０１３３】
また、上述の実施の形態では、複数の電話回線に対応する複数の回線ランプは、各電話端末のディスプレイに、アイコンとして表示するようにしたが、発光ダイオードなどの表示素子として、各電話端末に設けるようにしても勿論よい。
【０１３４】
また、上述の実施の形態では、通常使用状態においては、拡張メッセージ用コネクションを通じて変化分回線ランプ状態情報のみを送るようにしたが、複数の電話回線のすべてについての回線ランプ状態情報を、回線使用状態が変化したときに拡張メッセージ用コネクションを通じて送るようにしてもよい。
【０１３５】
また、上述の実施の形態におけるゲートキーパー２００と、ゲートウエイ４との機能を、電話通信管理手段が併せ持つようにする構成することもできる。
【０１３６】
また、以上の実施の形態は、ＩＴＵ−Ｔ勧告のＨ．３２３規格の場合として説明したが、パケット通信のための規格は、Ｈ．３２３規格の場合に限られるものではないことは言うまでもない。
【０１３７】
【発明の効果】
以上説明したように、この発明によれば、電話通信管理装置と各電話端末との間に確立した拡張メッセージ用コネクションを通じて、回線状態情報を伝送するようにするので、従来のように、回線状態情報を通知するために呼を生成する必要はなく、その分、通信負荷を小さくすることができる。
【０１３８】
また、拡張コネクションを通じて回線状態情報を伝送するため、マルチライン対応ではない他の電話端末に悪影響を与えることがない。そのため、システム内にマルチライン対応でない、従来の電話端末も収容することが可能である。
【０１３９】
また、拡張コネクションを通じて回線状態情報を伝送するため、ＬＡＮの外部のセグメントとなる電話端末に対しても、確実に回線状態情報を伝送することができる。
【図面の簡単な説明】
【図１】この発明によるＶｏＩＰ電話システムの実施の形態の要部の機能ブロック図である。
【図２】実施の形態におけるマルチライン対応の電話端末のハードウエア構成例を示すブロック図である。
【図３】実施の形態におけるゲートキーパーのハードウエア構成例を示すブロック図である。
【図４】実施の形態の要部の動作を説明するためのシーケンス図である。
【図５】実施の形態の電話端末の表示画面の例を示す図である。
【図６】実施の形態の電話端末の、ゲートキーパーへの登録時の動作を説明するためのフローチャートである。
【図７】実施の形態の電話端末の通常動作時の拡張メッセージ用コネクションを通じたデータ処理を説明するためのフローチャートである。
【図８】実施の形態のゲートキーパーの、電話端末からの登録要求があったときの動作を説明するためのフローチャートである。
【図９】実施の形態のゲートキーパーの通常動作時の拡張メッセージ用コネクションを通じたデータ処理を説明するためのフローチャートである。
【図１０】ＶｏＩＰ電話システムの構成の概要を示すブロック図である。
【符号の説明】
１、２００  ゲートキーパー
２、１００  マルチライン対応の電話端末
３  ＬＡＮ
６  複数の電話回線
【図１】
0003887548.tif 000002
【図２】
0003887548.tif 000003
【図３】
0003887548.tif 000004
【図４】
0003887548.tif 000005
【図５】
0003887548.tif 000006
【図６】
0003887548.tif 000007
【図７】
0003887548.tif 000008
【図８】
0003887548.tif 000009
【図９】
0003887548.tif 000010
【図１０】
0003887548.tif 000011